(57)【要約】【課題】  垂直に自由に上下動することができ、かつ、ネジにより、高さの微調整ができるようになった床束でありながら、構造が簡単で、しかも、操作方法が直感的に分かるものを実現する。【解決手段】  支柱上部に、水平に移動可能なメネジ部品を設け、このメネジ部品には、内周面の約半分がメネジとなり、他部分が前記メネジより大寸法の平滑面となった上下貫通孔を設ける。上部に受台を有するオネジ軸をこの貫通孔に挿入し、ロック機構により、メネジ部品を移動させ、前記平滑面がオネジ軸に沿う解除状態と、前記メネジがオネジ軸に螺合する固定状態を切り替える。【選択図】  図３
2005155261.tif 000002
【特許請求の範囲】
【請求項１】
下端に土間コンクリート面上に載せられるベースを有し、垂直に立ち上がる支柱と、この支柱上端に、この支柱に対して回転可能に取付けられ、回転操作用工具受部を有する可動金具部と、この可動金具部に対し水平一方向に可動、上下方向に微少量可動に取付けられるメネジ部品と、このメネジ部品に形成され、内周面の約半分がメネジとなり、他部分が前記メネジより大寸法の平滑面となった上下貫通孔と、前記可動金具部に設けられ、前記メネジ部品を貫通孔のメネジ側へ付勢するバネと、前記可動金具部に設けられ、前記メネジ部品を貫通孔の平滑面側へ押出し固定するロック機構と、上端に大引きを載せる受台を有し、垂直に伸びて、前記可動金具部のメネジ部品の貫通孔に挿入され、前記ロック機構を解除したとき、貫通孔の平滑面に沿って自由に上下動可能となり、前記ロック機構を固定したとき、貫通孔のメネジと螺合するオネジ軸と、前記オネジ軸に螺合し、前記可動金具部に押付けられてダブルナットを形成する緩み止めナット部とからなる床束。
【請求項２】
請求項１において、
ロック機構が、前記可動金具部に対し水平に可動に設けられ、先端がメネジ部品に当接して前記バネにより押され、後端が先細形状部となり、前記可動金具部に設けられるストッパ部に当るピンと、前記可動金具部に回転可能に取付けられ、手動操作により、前記ピン後端の先細形状部とストッパ部との間に差込まれて、前記メネジ部品を押してメネジをオネジ軸に螺合させて固定し、引き抜かれて、前記メネジ部品をバネにより移動させ、オネジ軸に平滑面に沿わせて解除状態とする操作部とからなる床束。
【請求項３】
請求項１又は２において、
回転操作用工具受部が、可動金具部上部又は周囲に形成された多角形部そして／又は可動金具部の外部に形成されてねじ回し等の棒体を受入れる孔よりなる床束。
【請求項４】
請求項１，２又は３において、
緩み止めナット部が、手動での回転を可能とする羽根部を有する床束。
【請求項５】
請求項１，２，３又は４において、
支柱が、工具を用いて回転保持をすることを可能とする工具受部を有する床束。
【発明の詳細な説明】
【技術分野】
【０００１】
本発明は、住宅等の建物において、土間コンクリート面と大引きの間に設置され、大引きを支える床束に関する。
【背景技術】
【０００２】
従来より最も広く用いられている床束は、ターンバックル状のものである。これは、構造が簡単で安価であるという利点を有するが、高さの調節に多量の回転操作を必要とし、作業性が著しく悪いという欠点がある。
【０００３】
このため、垂直に自由に上下動することができ、かつ、ネジにより、高さの微調整ができるようになった床束が提案されている。具体的には、割りナットを使用した構成（特許文献１）や、ネジに係合する駒を使用した構成（特許文献２）が知られている。これらは、構造が複雑で、高価になりがちである。また、割りナットのロック操作等のため、同軸に多数の回転操作部分があり、操作方法が直感的にはわかりにくくなり、特に、建物の完成後期間を経て、高さの再調整をする場合には、作業者は操作説明書等のない状態で操作をするので、甚だ扱いにくいものとなる。
【０００４】
【特許文献１】特開平１１−５０６４１号公報
【特許文献１】特開２００２−４５４９号公報
【発明の開示】
【発明が解決しようとする課題】
【０００５】
そこで、本発明は、垂直に自由に上下動することができ、かつ、ネジにより、高さの微調整ができるようになった床束でありながら、構造が簡単で、しかも、操作方法が直感的に分かるものを実現することを目的としたものである。
【課題を解決するための手段】
【０００６】
本発明は、下端に土間コンクリート面上に載せられるベースを有し、垂直に立ち上がる支柱と、この支柱上端に、この支柱に対して回転可能に取付けられ、回転操作用工具受部を有する可動金具部と、この可動金具部に対し水平一方向に可動、上下方向に微少量可動に取付けられるメネジ部品と、このメネジ部品に形成され、内周面の約半分がメネジとなり、他部分が前記メネジより大寸法の平滑面となった上下貫通孔と、前記可動金具部に設けられ、前記メネジ部品を貫通孔のメネジ側へ付勢するバネと、前記可動金具部に設けられ、前記メネジ部品を貫通孔の平滑面側へ押出し固定するロック機構と、上端に大引きを載せる受台を有し、垂直に伸びて、前記可動金具部のメネジ部品の貫通孔に挿入され、前記ロック機構を解除したとき、貫通孔の平滑面に沿って自由に上下動可能となり、前記ロック機構を固定したとき、貫通孔のメネジと螺合するオネジ軸と、前記オネジ軸に螺合し、前記可動金具部に押付けられてダブルナットを形成する緩み止めナット部とからなる床束である。
【０００７】
上記ロック機構は、前記可動金具部に対し水平に可動に設けられ、先端がメネジ部品に当接して前記バネにより押され、後端が先細形状部となり、前記可動金具部に設けられるストッパ部に当るピンと、前記可動金具部に回転可能に取付けられ、手動操作により、前記ピン後端の先細形状部とストッパ部との間に差込まれて、前記メネジ部品を押してメネジをオネジ軸に螺合させて固定し、引き抜かれて、前記メネジ部品をバネにより移動させ、オネジ軸に平滑面に沿わせて解除状態とする操作部とからなるものとすることができる。
【０００８】
上記回転操作用工具受部は、可動金具部上部又は周囲に形成された多角形部そして／又は可動金具部の外部に形成されてねじ回し等の棒体を受入れる孔よりなるものとすることができる。
【０００９】
上記緩み止めナット部は、手動での回転を可能とする羽根部を有するものとすることができる。
【００１０】
上記支柱は、工具を用いて回転保持をすることを可能とする工具受部を有するものとすることができる。
【発明の効果】
【００１１】
本発明の床束は、ロック機構により、メネジ部品を水平に移動させ、その貫通孔の平滑面をオネジ軸に沿わせて自由に昇降する状態と、貫通孔のメネジをオネジ軸に螺合させて高さを微調整する状態を切り替えるので、構造が簡単で、かつ、ロック機構の操作は極めて分かりやすいものとなる。しかも、オネジ軸には、貫通孔の約半周分のメネジが螺合するので、十分大きな強度が得られる。
【００１２】
さらに、ロック機構として、上記ピン、ストッパ部、操作部を用いた構成とすると、より一層構造は単純化され、操作のきわめて分かりやすいものとなる。
【００１３】
また、緩み止めナット部に羽根部を設けると、緩み止めナット部の操作性も向上し、支柱に工具受部を設けると、支柱をスパナ等で回転保持することが可能となり、建物完成後の最調整時等の、きわめて固い回転操作に役立つものとなる。
【発明を実施するための最良の形態】
【００１４】
以下に、本発明を実施例について詳しく説明する。
【実施例１】
【００１５】
この床束１０において、支柱１１は、下端に、土間コンクリート面（図示しない）に載せられるベース１２を有し、垂直に立ち上がる。この支柱１１は、丸パイプよりなり、その一部は、周囲からプレス成形され断面が略四角形状となった工具受部１３に形成され、この部分をスパナ等で挟むことにより、この支柱を回転させないように押さえることが可能となっている。
【００１６】
可動金具部１４は、支柱１１の上端に、この支柱に対し回転可能に取付けられている。この可動金具部１４は、主として、下部品１５と上部品１６からなる。下部品１５は、支柱１１にかしめ止めされた板１７に端部がＬ字状に立ち上げてなるストッパ部１８を有する板１９を重ねてなる。上部品１６は、板材の中央部に箱部２０を形成し、両側端部をそれぞれＬ字状に下方へ折り曲げ、さらに上面に六角スリーブ２１及び座金２２を溶接してなる。これらの上部品１５と下部品１６は、互いにかしめ止めされて一体となっている。下部品１６の両側端の折り曲げ部分には孔２３，２３がそれぞれ形成されて、回転操作用工具受部２４ａ，２４ａとなり、この孔２３，２３にねじ回し等の工具を差込み、この可動金具部１４を回転させることが可能となっている。また、箱部２０の両側面も、回転操作用工具受部２４ｂとなり、この部分をスパナ等の工具で挟んでこの可動金具部１４を回転させることが可能となっている。さらに、六角スリーブ２１も回転操作用工具受部２４ｃとなり、ここをスパナ等の工具で挟んでこの可動金具部１４を回転させることが可能となっている。
【００１７】
メネジ部品２５は、可動金具部１４の箱部２０内に設けられ、この可動金具部に対し水平一方向に、すなわち図３，５，６において左右方向に可動となっている。また、上下方向に微少量（後記メネジのピッチと同量程度でよい）可動となっている。上下貫通孔２６がこのメネジ部品２５に形成されている。この上下貫通孔２６は、断面形が略小判型であり、一方の端に位置する内周面の約半分がメネジ２７となり、他部分が前記メネジより大寸法の平滑面２８となっている。バネ２９が箱部２０内に設けられ、メネジ部品２５を貫通孔のメネジ側即ち図５，６において左方へ付勢している。
【００１８】
ロック機構３０が、メネジ部品２５のメネジ側方すなわち図５，６において左方に設けられている。このロック機構３０は、主として、ピン３１、ストッパ部１８及び操作部３２からなる。ピン３１は、箱部２０の側面に出入可能に差込まれ、先端がメネジ部品２５に当接してバネ２９により押され、後端が丸型の先細形状部３３となり、下部品１５の板１７に形成されたストッパ部１８に当る。操作部３２は、ストッパ部１８の端に、軸ピン３４で回転可能に取付けられ、略Ｕ字状に折り曲げられた先端部３５を、この先端部の側方へ突出した摘み３６をつまんで回転操作をするようになっている。すなわち、先端部３５をストッパ部１８に嵌めるようにすると（図５参照）、ピン３１は押され、メネジ部品２５を貫通孔の平滑面側へ（図５右方向）押出し固定する固定状態となり、先端部３５をストッパ部１８の上方に抜き出すと（図６参照）、ピン３１はバネ２９に押され、メネジ部品２５は貫通孔のメネジ側へ（図６左方向）移動し、解除状態となる。
【００１９】
オネジ軸３７は、周囲にオネジを有し、上端に大引き（図示しない）を載せる受台３８を有し、垂直に伸びて、可動金具部１４のメネジ部品２５の貫通孔２６に挿入される。ロック機構３０を解除したときは、貫通孔の平滑面２８に沿って自由に上下動可能となり、ロック機構３０を固定したときは、貫通孔のメネジ２７と螺合する。なお、ロック機構３０操作時の螺合は、メネジ部品２５が上下方向に微少量可動となっているため、確実に実現される。
【００２０】
緩み止めナット部３９は、ナット４０、羽根部４１、座金４２を溶接して一体化してなり、オネジ軸３７に螺合し、可動金具部１４に押付けられてダブルナットを形成する。この締付け緩め操作は、ナット４０を回転させるほか、羽根部４１を手動で回転させることによっても可能となっている。
【００２１】
この床束１０は以上の構成であり、次のようにして使用される。
【００２２】
初めにベース１２の裏面又は土間コンクリート面に接着剤を塗布し、受台３８を大引きに釘等で固定し、大引きを所定位置に設置する。ロック機構３０を解除し、支柱１１を下げ、ナット部３９を操作して、ベース１２を土間コンクリート面に押付け、確実に接着する。この後、ロック機構３０を固定し、さらにナット部３９を回転させて十分に固定する。これで、支柱１１とオネジ軸３７はメネジ２７により強固に結合して荷重を受けることができるようになり、メネジ２７とナット部３９とでダブルナットが形成され、緩み止めされた状態となる。
【００２３】
高さの微調整は、接着剤固着前は、ナット部３９を緩め、ロック機構３０を解除し、前記操作を繰り返せばよい。接着剤固着後においては、ナット部３９を緩め、ロック機構３０を固定状態のまま、回転操作用工具受部２４ａ，２４ｂ，２４ｃを用いて可動金具部１４を回転させればよい。なお、このとき回転が固い場合は、支柱の工具受部１３をスパナ等で回転しないよう押さえるとよい。
【図面の簡単な説明】
【００２４】
【図１】本発明の一実施例の正面図である。
【図２】同例の側面図である。
【図３】同例の正断面図である。
【図４】同例の側断面図である。
【図５】同例の可動金具部の平断面図であり、ロック機構固定状態を示す。
【図６】同例の可動金具部の平断面図であり、ロック機構解除状態を示す。
【符号の説明】
【００２５】
１０            床束
１１            支柱
１２            ベース
１３            工具受部
１４            可動金具部
１５            下部品
１６            上部品
１７            板
１８            ストッパ部
１９            板
２０            箱部
２１            六角スリーブ
２２            座金
２３，２３      孔
２４ａ，２４ａ  回転操作用工具受部
２４ｂ          回転操作用工具受部
２４ｃ          回転操作用工具受部
２５            メネジ部品
２６            上下貫通孔
２７            メネジ
２８            平滑面
２９            バネ
３０            ロック機構
３１            ピン
３２            操作部
３３            先細形状部
３４            軸ピン
３５            先端部
３６            摘み
３７            オネジ軸
３８            受台
３９            ナット部
４０            ナット
４１            羽根部
４２            座金
【図１】
2005155261.tif 000003
【図２】
2005155261.tif 000004
【図３】
2005155261.tif 000005
【図４】
2005155261.tif 000006
【図５】
2005155261.tif 000007
【図６】
2005155261.tif 000008